(57)【要約】      （修正有）【課題】安価で持ち運びが容易であるとともに、場所を選ばず、一人から複数人でトランプとすごろくを交互に楽しめるすごろくトランプを提供する。【解決手段】一組１３枚でハート、ダイヤ、スペード、クローバー４組の５２枚とジョーカー２枚の５４枚からなり、各カード１の片面（通常の表側に相当する）の対角線上のコーナー付近には、ハート、ダイヤ、クラブ、スペードの４組の記号２と１（Ａ）〜１０の数字３とＪ、Ｑ、Ｋのアルファベット文字３’を印刷する。これら５４枚のカード１のうち、前記４組のうちのいずれか一組の１（Ａ）〜６の６枚のカード１にサイコロの目を表す図形８を、また、２枚のジョーカー９の一方にはスタート地点の文字６、他方にはゴール地点の文字７を、残り４６枚のカード１のうち３４枚にはイベント事項４、４’を、１２枚には空白マス５を表したものを印刷して構成する。【選択図】図１
0003147949.tif 000002
【実用新案登録請求の範囲】
【請求項１】
１組１３枚でハート、ダイヤ、スペード、クローバー４組の５２枚とジョーカー２枚の５４枚のカードからなり、前記４組のうちのいずれか１つの組の１〜６の６枚のカードには、サイコロの目が、前記ジョーカー２枚のうち一方にはスタート、他方にはゴールと印刷されており、前記５２枚のカードからサイコロの眼が印刷されている６枚のカードを除く、残り４６枚のカードは、すごろく盤のマスとなっていることを特徴とするトランプカード。
【請求項２】
残り４６枚のカードのうちの一部にイベント事項が記載されていることを特徴とする請求項１記載のトランプカード。
【請求項３】
残り４６枚のカードのうち一部がイベント事項の記載されてない空白のマスになっていることを特徴とする請求項１記載のトランプカード。
【考案の詳細な説明】
【技術分野】
【０００１】
この考案は、主としてカードゲームとして使用されるトランプをすごろくとしても使用することができるようにしたトランプに関するものである。
【背景技術】
【０００２】
従来、使用されているすごろく盤は、盤面の中間に一条の空地があり、その両側にそれぞれ十二のマス目を設けたものとなっており、盤上が固定されていて、盤面を変化させることはできない。
【考案の開示】
【考案が解決しようとする課題】
【０００３】
このように盤面が固定されていて盤面を変化させることができない場合には、繰り返し使用することで飽きが生じるだけでなく、すごろくを使用する時に必要となる備品（サイコロやコマ等）や盤を携帯、保管する際にも嵩張るため、不便であった。また、従来のすごろく盤はすごろくとしてのみ使用されている。
このような従来のすごろくの欠点に鑑み、本考案は、簡単に持ち運びが出来るとともに、トランプとして使用できるのみならず、すごろく盤としても使用できるようにすることを目的とするものである。
【課題を解決するための手段】
【０００４】
上記目的を達成するために、請求項１に係る考案では、１組１３枚でハート、ダイヤ、スペード、クローバー４組の５２枚とジョーカー２枚の５４枚のカードからなり、前記４組のうちのいずれか１つの組のAと２〜６の６枚のカードには、サイコロの目が、前記ジョーカー２枚のうち一方にはスタート、他方にはゴールと印刷されており、前記５２枚のカードからサイコロの眼が印刷されている６枚のカードを除く、残り４６枚のカードは、すごろく盤のマスとなっている。
このトランプカードによれば、従来と同様の各種トランプ遊びができるだけでなく、すごろくとしても遊びも楽しむことができる。
また、すごろく盤のマスになっているカードで完成された盤面の始点にはスタート、終点にはゴールのカードを自由に配置することにより、繰り返しゲームをしても、毎回異なるコースを設定できるので、さらに飽きが来ず、より一層すごろくを楽しむことができる。さらに、すごろく盤のマスになっているカードを自由に並べ変えることで、さまざまなパターンのすごろく盤を作成することができ、楽しく遊ぶことができる。
【０００５】
請求項２に係る考案では、  残り４６枚のカードのうちの一部にイベント事項が記載されている。
サイコロで出た目によって、これらのイベント事項のマスに停止した際には、記載されている内容の事柄（たとえば、「一回休み」、「ふりだしに戻る」、「二個すすむ」）を実行することにより、ゴールすることが困難または容易になり、ゲーム性をより一層楽しめるという点で効果的である。
【０００６】
請求項３に係る考案では、  残り４６枚のカードのうち一部がイベント事項の記載されてない空白のマスになっている。
これらのカードに停止すれば、前記イベント事項のマスに記載されている事項を実行しなくてもよく、このマスに多く停止することで、早くゴールに到達することができるという効果がある。
また、空白のマスにはイベント事項が記載されていないため、自由にイベント内容を決定することができる。このようにすることで、独自のすごろく盤を構成することができ、より一層ゲーム性を高めることができる。
【０００７】
また、ゲームを終了させたい場合には、完成したすごろく盤を崩し、重ね合わせることで、トランプ箱に収納することができ、持ち運びが非常に容易なものとなっている。
【考案の効果】
【０００８】
請求項１記載の考案によれば、従来と同様の各種トランプ遊びができるだけでなく、すごろくとしても楽しめるという効果が得られる。
【０００９】
また、請求項１記載の考案によれば、マスカードで完成された盤面の始点にはスタート、終点にはゴールのカードを自由に配置することができるので、スタート地点とゴール地点の配置を自由に変えることができ、繰り返しゲームをしても、毎回異なるコースを設定できるので、さらに飽きがこず、より一層すごろくを楽しむことができる。
【００１０】
さらに請求項１記載の考案によれば、すごろくのマスになっているカードを自由に組み合わせることで、さまざまなパターンのすごろく盤を作成することができ、楽しく遊ぶことができる。このように、イベント事項のマスと、空白のマスを自由に組み合わせ、並べ変えることで、ゴールに至るまでの道程を一進一退し、より一層ゲーム性を高めることができるという効果がある。
【考案を実施するための最良の形態】
【００１１】
請求項２記載の考案によれば、サイコロで出た目によって、これらのイベント事項のマスに停止した際には、記載されている内容の事柄（たとえば、「一回休み」、「ふりだしに戻る」、「二個すすむ」）を実行することにより、ゴールすることが困難または容易になり、ゲーム性をより一層楽しめるという効果がある。
【００１２】
請求項３記載の考案によれば、これら空白マスのカードに停止すれば、前記イベント事項のマスに記載されている事項を実行しなくてもよく、このマスに多く停止することで、早くゴールに到達することができるという効果がある。
また、空白のマスにはイベント事項が記載されていないため、自由にイベント内容を決定することができる。このようにすることで、独自のすごろく盤を構成することができ、より一層ゲーム性を高めることができる。
【００１３】
本考案によるトランプカードの一例を、図面に基づいて詳細に説明する。ここには、一組１３枚でハート、ダイヤ、スペード、クローバー４組の５２枚とジョーカー２枚の５４枚からなり、各カード１、１の片面（通常の表側に相当する）の対角線上のコーナー付近には、図１に示すように、ハート、ダイヤ、クラブ、スペードの４組の記号２と１（A）〜１０の数字３とJ、Q、Kのアルファベット文字３'が印刷されている。このような印刷形態は、従来のトランプカードと同じである。従って、従来と同様の各種トランプ遊びができる。
【００１４】
そして、従来のトランプカードと異なるところは、これら５４枚のカード１、１のうち、前記４組のうちのいずれか一組の１（A）〜６の６枚のカードに１、１にサイコロの目を表す図形８が、また、２枚のジョーカー９、９の一方にはスタート地点の文字６、他方にはゴール地点の文字７が、残り４６枚のカード１、１のうち３４枚がイベント事項４、４'、１２枚が空白マス５を表したものが印刷されていることである。
従って、通常のトランプ遊びをすることができるだけでなく、すごろくとしても遊べ楽しむことができ、一石二鳥の効果が得られる。
なお、ここでは、スペードの１〜６のカード１、１にサイコロの目を表す図形８を印刷した場合を例示するが、スペード以外のいずれかの組の１（A）〜６のカードにサイコロの目を表す図形８を印刷してもよい。
【００１５】
そして、図１に例示するように、前記４６枚のカード１、１がすごろくのマスになっており、そこに印刷されているイベント事項４、空白マス５を表したカード１、１を好みの並べ方で組み合わせることで、すごろくの盤面を自由に変更することができる。このようにすることで、毎回異なったコースを設定することができる。
【００１６】
サイコロの目を表す図形８が印刷されている６枚のカード１、１は、それらを裏返しにしておき、その中から１枚引くことで、サイコロとしての使用をすることができる。
【００１７】
また、スタート地点の文字６が印刷されたカード１とゴール地点の文字７が印刷されたカード１の配列を自由に変更することができる。従来のすごろくにおいては、サイコロの目によっては停止するマスの目は変わるものの、スタート地点とゴール地点は固定されたものであったため、スタートしてゴールに至るまでの道のりが、単一的なものとなっていた。これに対して本考案の場合には、例えば、同じコース設定であったとしても、スタート地点とゴール地点を変更することによって、別のコースを容易に設定することができるという利点を有する。
【００１８】
イベント事項４、４'を表したイベントカードと組み合わせて空白マス５を表したカードを使用することにより、空白マス５に停止した場合には、罰ゲーム等のイベントを回避することができる。また、このトランプカードを使用し得る対象年齢が１２歳以上となるようにイベント事項をいろいろ異ならしめたり、スタート地点からゴール地点の長さを変更するのが好ましいが、空白マス５にイベント事項を設定することも可能であり、年齢に応じてそのイベントの内容やスタートの地点からゴール地点までの長さを自由に変えることもできる。
【図面の簡単な説明】
【００１９】
【図１】本考案によるトランプカードの一例とその配列例を示す平面図である。
【符号の説明】
【００２０】
１…カード、２…記号、３…数字、３'…アルファベット文字、４，４'…イベント事項、５…空白マス、６…スタート地点の文字、７…ゴール時点の文字、８…サイコロの目を表す図形、９…ジョーカー
【図１】
0003147949.tif 000003